(57)【特許請求の範囲】
【請求項１】
映像を表示する映像表示パネルと、
前記映像表示パネルから出力される光の偏光方向を交互にシフトさせ、前記映像表示パネルより低い動作周波数で動作する位相変換パネルと、
バックライトを提供するバックライトユニットと、
前記位相変換パネルがシフト動作を行うクロストーク区間の間、前記バックライトユニットをターンオフさせ、前記クロストーク区間の以後の安定化区間の間、前記バックライトユニットをターンオンさせる制御部と、を含み、
前記制御部は、
左眼映像および右眼映像が全てディスプレイされるクロストーク区間では前記バックライトユニットをターンオフし、前記左眼映像および右眼映像のうち何れか一つが遮断される安定化区間では前記バックライトユニットをターンオンし、
前記映像表示パネルと前記位相変換パネルとの間の動作周波数の差によって一つのデータイネーブル区間内で左眼映像および右眼映像が全て提供される、
ことを特徴とする３Ｄディスプレイ装置。
【請求項２】
前記位相変換パネルは、フレーム単位で前記シフト動作を行うことを特徴とする請求項１に記載の３Ｄディスプレイ装置。
【請求項３】
前記位相変換パネルが前記シフト動作を開始した時点から予め設定された時間の間、前記位相変換パネルをオーバードライブさせる位相変換パネル駆動部を更に含むことを特徴とする請求項１に記載の３Ｄディスプレイ装置。
【請求項４】
前記位相変換パネルの動作周波数は１２０Ｈｚであり、前記映像表示パネルの動作周波数は１８０Ｈｚ、２４０Ｈｚ、３６０Ｈｚおよび４８０Ｈｚの何れか一つであることを特徴とする請求項１に記載の３Ｄディスプレイ装置。
【請求項５】
前記映像表示パネルは、前記左眼映像および右眼映像を交互に出力し、
前記位相変換パネルは、前記左眼映像が出力される時点からは第１偏光状態にシフトし、前記右眼映像が出力される時点からは前記第１偏光状態に垂直の第２偏光状態にシフトすることを特徴とする請求項１に記載の３Ｄディスプレイ装置。
【請求項６】
左眼映像および右眼映像を交互に出力する映像表示パネルと、
前記左眼映像が出力される時点からは第１偏光状態にシフトし、前記右眼映像が出力される時点からは第２偏光状態にシフトし、前記映像表示パネルより低い動作周波数で動作する位相変換パネルと、
前記位相変換パネルがシフト動作を行うクロストーク区間の間、ターンオフされ、前記クロストーク区間の以後の安定化区間の間、ターンオンされるバックライトユニットと、を含み、
前記バックライトユニットは、
前記左眼映像および右眼映像が全てディスプレイされるクロストーク区間ではターンオフされ、前記左眼映像および右眼映像のうち何れか一つが遮断される安定化区間ではターンオンされ、
前記映像表示パネルと前記位相変換パネルとの間の動作周波数の差によって一つのデータイネーブル区間内で左眼映像および右眼映像が全て提供される、
ことを特徴とする３Ｄディスプレイパネル。
【請求項７】
前記位相変換パネルは、フレーム単位で前記シフト動作を行うことを特徴とする請求項６に記載の３Ｄディスプレイパネル。
【請求項８】
前記位相変換パネルは、
前記シフト動作を開始した時点から予め設定された時間の間、オーバードライブされることを特徴とする請求項６に記載の３Ｄディスプレイパネル。
【請求項９】
前記位相変換パネルの動作周波数は１２０Ｈｚであり、前記映像表示パネルの動作周波数は１８０Ｈｚ、２４０Ｈｚ、３６０Ｈｚおよび４８０Ｈｚの何れか一つであることを特徴とする請求項６に記載の３Ｄディスプレイパネル。
【請求項１０】
映像表示パネルと、前記映像表示パネルから出力される光の偏光方向を交互にシフトさせ、前記映像表示パネルより低い動作周波数で動作する位相変換パネルと、バックライトユニットとを具備した３Ｄディスプレイ装置の駆動方法において、
前記位相変換パネルがシフト動作を行うクロストーク区間の間、前記バックライトユニットをターンオフさせるステップと、
前記位相変換パネルが前記シフト動作を完了して安定化区間に入ると、前記バックライトユニットをターンオンさせるステップと、を含み、
前記クロストーク区間では左眼映像および右眼映像が全てディスプレイされ、前記安定化区間では前記左眼映像および右眼映像のうち何れか一つが遮断され、
前記映像表示パネルと前記位相変換パネルとの間の動作周波数の差によって一つのデータイネーブル区間内で左眼映像および右眼映像が全て提供される、
ことを特徴とする３Ｄディスプレイ装置の駆動方法。
【請求項１１】
前記位相変換パネルは、フレーム単位で前記シフト動作を行うことを特徴とする請求項１０に記載の３Ｄディスプレイ装置の駆動方法。
【請求項１２】
前記位相変換パネルが前記シフト動作を開始すると、予め設定された時間の間、前記位相変換パネルをオーバードライブさせるステップを更に含み、
前記位相変換パネルの動作周波数は１２０Ｈｚであり、前記映像表示パネルの動作周波数は１８０Ｈｚ、２４０Ｈｚ、３６０Ｈｚおよび４８０Ｈｚの何れか一つであることを特徴とする請求項１０に記載の３Ｄディスプレイ装置の駆動方法。
【請求項１３】
前記映像表示パネルが、前記左眼映像および右眼映像を交互に出力するステップと、
前記左眼映像が出力される時点からは前記位相変換パネルが第１偏光状態にシフトし、前記右眼映像が出力される時点からは前記位相変換パネルが前記第１偏光状態に垂直の第２偏光状態にシフトするステップと
を更に含むことを特徴とする請求項１０に記載の３Ｄディスプレイ装置の駆動方法。
【発明の詳細な説明】
【技術分野】
【０００１】
本発明は、３Ｄディスプレイパネルおよびそれを用いる３Ｄディスプレイ装置とその駆動方法に関し、より詳細には、偏光タイプの３Ｄディスプレイパネルおよびそれを用いる３Ｄディスプレイ装置とその駆動方法に関する。
【背景技術】
【０００２】
最近、３Ｄ技術の発達により、映画館や一般家庭用のテレビ、携帯型端末機器等でも３Ｄコンテンツを視聴できるようにする技術に対する開発への取り組みが加速化している。
【０００３】
３Ｄディスプレイ装置は、ユーザが立体感を感じることができるように、客体間の変位を調整して奥行き感を与える。
【０００４】
３Ｄディスプレイ装置は、メガネの着用有無を基準としてメガネ式および非メガネ式に区分する。非メガネ式とは、メガネをかけなくても立体感を感じられるように映像信号を多時点映像に変換して出力する方式を意味する。
【０００５】
メガネ式とは、ディスプレイ装置で左眼映像および右眼映像を交互に出力する場合、左眼映像は左眼で認識し、右眼映像は右眼で認識するように処理して、ユーザが左眼および右眼間の変位による立体感を感じることができるようにする方式を意味する。
【０００６】
メガネ式は、更にシャッタグラス方式および偏光方式に区分されてよい。
【０００７】
シャッタグラス方式とは、メガネそのものでグラスのシャッタをスイッチングして左眼映像出力時には左眼グラスがターンオンされ、右眼映像出力時には右眼グラスがターンオンされるように調整する方式を意味する。
【０００８】
偏光方式とは、偏光方向の異なるメガネを着用したユーザを対象に、ディスプレイ装置から出力される光の偏光方向を０度から９０度に交互にシフトする方式を意味する。
【０００９】
シャッタグラス方式は、最近の家庭用のテレビで主に採択されている方式や、メガネの価格が偏光方式に比べて高いという短所がある。
【００１０】
それにより、偏光方式は、メガネの価格が相対的に安いという長所がある。しかし、左眼映像および右眼映像がスイッチングされつつ出力される時点で、偏光シフトが行われる場合、完全なシフトが行われるまでは、左眼映像および右眼がすべてユーザの両眼に各々入力されるクロストーク区間があってよい。それにより、左右映像が重なるようになり、歪んだ画面が映るようになるため、それによってユーザの満足度が落ちるという問題点がある。
【００１１】
よって、このような問題点なく、偏光方式をより効果的に利用することができるようにする技術に対する開発が求められる。
【発明の概要】
【発明が解決しようとする課題】
【００１２】
そこで、本発明は、上記問題に鑑みてなされたものであり、本発明の目的とするところは、偏光方式を利用しながら、ユーザの満足度を向上させることができる３Ｄディスプレイパネルおよびそれを用いる３Ｄディスプレイ装置とその駆動方法を提供することにある。
【課題を解決するための手段】
【００１３】
本発明の一実施形態によると、３Ｄディスプレイ装置は、映像を表示する映像表示パネルと、前記映像表示パネルから出力される光の偏光方向を交互にシフトさせる位相変換パネルと、バックライトを提供するバックライトユニットと、前記位相変換パネルがシフト動作を行うクロストーク区間の間、前記バックライトユニットをターンオフさせ、前記クロストーク区間の以後の安定化区間の間、前記バックライトユニットをターンオンさせる制御部とを含む。
【００１４】
ここで、前記映像表示パネルの動作周波数は、前記位相変換パネルの動作周波数より大きくてよい。
【００１５】
そして、前記位相変換パネルは、フレーム単位で前記シフト動作を行ってよい。
【００１６】
一方、３Ｄディスプレイ装置は、前記位相変換パネルが前記シフト動作を開始した時点から予め設定された時間の間、前記位相変換パネルをオーバードライブさせる位相変換パネル駆動部を更に含んでよい。
【００１７】
そして、前記位相変換パネルの動作周波数は１２０Ｈｚであり、前記映像表示パネルの動作周波数は１８０Ｈｚ、２４０Ｈｚ、３６０Ｈｚおよび４８０Ｈｚの何れか一つであってよい。
【００１８】
ここで、前記映像表示パネルは、左眼映像および右眼映像を交互に出力し、前記位相変換パネルは、前記左眼映像が出力される時点からは第１偏光状態にシフトし、前記右眼映像が出力される時点からは前記第１偏光状態に垂直の第２偏光状態にシフトしてよい。
【００１９】
一方、本発明の一実施形態によると、３Ｄディスプレイパネルは、左眼映像および右眼映像を交互に出力する映像表示パネルと、前記左眼映像が出力される時点からは第１偏光状態にシフトし、前記右眼映像が出力される時点からは第２偏光状態にシフトする位相変換パネルと、前記位相変換パネルがシフト動作を行うクロストーク区間の間、ターンオフされ、前記クロストーク区間の以後の安定化区間の間、ターンオンされるバックライトユニットとを含んでよい。
【００２０】
ここで、前記映像表示パネルの動作周波数は、前記位相変換パネルの動作周波数より大きい。
【００２１】
なお、前記位相変換パネルは、フレーム単位で前記シフト動作を行ってよい。
【００２２】
そして、前記位相変換パネルは、前記シフト動作を開始した時点から予め設定された時間の間、オーバードライブされてよい。
【００２３】
一方、前記位相変換パネルの動作周波数は１２０Ｈｚであり、前記映像表示パネルの動作周波数は１８０Ｈｚ、２４０Ｈｚ、３６０Ｈｚおよび４８０Ｈｚの何れか一つであってよい。
【００２４】
一方、本発明の一実施形態によると、映像表示パネルと、前記映像表示パネルから出力される光の偏光方向を交互にシフトさせる位相変換パネルと、バックライトユニットとを具備した３Ｄディスプレイ装置の駆動方法は、前記位相変換パネルがシフト動作を行うクロストーク区間の間、前記バックライトユニットをターンオフさせるステップと、前記位相表示パネルが前記シフト動作を完了して安定化区間に入ると、前記バックライトユニットをターンオンさせるステップとを含む。
【００２５】
ここで、前記位相表示パネルは、フレーム単位で前記シフト動作を行ってよい。
【００２６】
そして、前記位相変換パネルが前記シフト動作を開始すると、予め設定された時間の間、前記位相変換パネルをオーバードライブさせるステップを更に含んでよい。
【００２７】
そして、前記位相変換パネルの動作周波数は１２０Ｈｚであり、前記映像表示パネルの動作周波数は１８０Ｈｚ、２４０Ｈｚ、３６０Ｈｚおよび４８０Ｈｚの何れか一つであってよい。
【００２８】
一方、本方法は、前記映像表示パネルが、左眼映像および右眼映像を交互に出力するステップと、前記左眼映像が出力される時点からは前記位相変換パネルが第１偏光状態にシフトし、前記右眼映像が出力される時点からは前記位相変換パネルが前記第１偏光状態に垂直の第２偏光状態にシフトするステップとを更に含んでよい。
【００２９】
本発明の別の実施形態によると、映像表示パネルと、前記映像表示パネルから出力される光の偏光方向を交互にシフトさせる位相変換パネルとを具備した３Ｄディスプレイ装置のバックライトユニットは、前記映像表示パネルのバックライトを提供する光源と、前記位相変換パネルがシフト動作を行うクロストーク区間の間、前記光源をターンオフさせ、前記クロストーク区間後、安定化区間の間、前記光源をターンオンさせる制御部とを含む。
【００３０】
本発明の別の実施形態によると、映像表示パネルと、前記映像表示パネルから出力される光の偏光方向を交互にシフトさせる位相変換パネルと、バックライトユニットとを具備した３Ｄディスプレイ装置の制御方法は、前記位相変換パネルがシフト動作を行うクロストーク区間の間、前記バックライトユニットをターンオフさせる制御信号を出力し、前記クロストーク区間後、安定化区間の間、前記バックライトユニットをターンオンさせる制御信号を出力するバックライト駆動部を含む。
【発明の効果】
【００３１】
以上説明したように、本発明によれば、ユーザは偏光方式によるメガネを利用しつつ、３Ｄディスプレイ方式のコンテンツを効果的に視聴することができるようになる。
【図面の簡単な説明】
【００３２】
【図１】本発明の一実施形態に係る３Ｄディスプレイパネルおよびそれを用いる３Ｄディスプレイ装置の構成を示すブロック図である。
【図２】本発明の一実施形態に係る３Ｄディスプレイパネルおよび３Ｄディスプレイ装置の動作を説明するための図である。
【図３】位相変換パネルをオーバードライブする方式を説明する図である。
【図４】位相変換パネルをオーバードライブさせつつ、バックライトユニットの駆動を制御する実施形態に係る３Ｄディスプレイパネルおよび３Ｄディスプレイ装置の動作を説明するための図である。
【図５】フレーム単位で位相変換パネルがシフト動作を行う方式を説明する図である。
【図６】本発明の一実施形態に係る３Ｄディスプレイパネルおよび３Ｄディスプレイ装置の細部構成を説明するためのブロック図である。
【図７】本発明の一実施形態に係る３Ｄディスプレイ装置の駆動方法を説明するためのフローチャートである。
【発明を実施するための形態】
【００３３】
以下に添付図面を参照しながら、本発明の好適な実施形態について詳細に説明する。
【００３４】
図１は、本発明の一実施形態に係る３Ｄディスプレイ装置の構成を示すブロック図である。図１に示すように、３Ｄディスプレイ装置は、３Ｄディスプレイパネル１００および制御部１２０を含む。本３Ｄディスプレイ装置は、テレビに限られるものではなく、ノートパソコンやモニタ、携帯電話、ＰＤＡ、デジタルフォトフレーム、電子書籍等のような多様なディスプレイ装置で実現されてよい。
【００３５】
３Ｄディスプレイパネル１００は、位相変換パネル１１０と、映像表示パネル１２０およびバックライトユニット１３０を含む。
【００３６】
映像表示パネル１２０は、映像を表示するパネルである。具体的に、映像表示パネル１２０は、左眼映像および右眼映像を交互にディスプレイする。ここで、左眼映像および右眼映像とは、同じ被写体を互い異なる角度から撮影して生成した映像を意味する。すなわち、ユーザの左眼と右眼との間の距離分だけ離隔している状態で被写体を撮影し、変位（ｄｉｓｐａｒｉｔｙ）を有するように生成した映像を意味する。しかし、撮影された映像は、一の実施形態に過ぎない。例えば、別の実施形態として、２次元映像が左眼映像および右眼映像に変換されてよい。左眼映像および右眼映像の配置順番は動作周波数等に応じて異なるように決定されてよい。すなわち、左眼、左眼、右眼、右眼、左眼、左眼、右眼、右眼等のように、各映像が複数個繰り返し配置されてよく、その間にブラック区間が挿入されてよい。
【００３７】
バックライトユニット１３０は、映像表示パネル１２０の背面に配置され、映像表示パネル１２０にバックライトを提供する。バックライトユニット１３０は、光源の種類に応じて、多様な類型に区分されてよい。バックライトユニット１３０には、ＣＣＦＬ（Ｃｏｌｄ  Ｃａｔｈｏｄｅ  Ｆｌｕｏｒｅｓｃｅｎｔ  Ｌａｍｐｓ）、ＬＥＤ（Ｌｉｇｈｔ  Ｅｍｉｔｔｉｎｇ  Ｄｉｏｄｅ）、ＦＦＬ（Ｆｌａｔ  Ｆｌｕｏｒｅｓｃｅｎｔ  Ｌａｍｐｓ）、ＨＣＦＬ（Ｈｏｔ  Ｃａｔｈｏｄｅ  Ｆｌｕｏｒｅｓｃｅｎｔ  Ｌａｍｐｓ）等のような多様な種類の光源が使用されてよい。実施形態により、これら光源は、バックライトユニット１３０の前面に渡ってムラなく分布される直下型に構成されてよく、エッジ部分にのみ集中的に配置される直下型に構成されてよい。
【００３８】
位相変換パネル（Ｐｈａｓｅ  Ｓｈｉｆｔ  Ｐａｎｅｌ）１１０は、映像表示パネル１２０から出力される光の偏光方向を交互にシフトさせる動作を行う。すなわち、位相変換パネル１１０は、左眼映像および右眼映像の何れか一方の映像が出力される時点からは第１偏光状態にシフトし、もう一方の映像が出力される時点からは第２偏光状態にシフトしてよい。第１偏光状態および第２偏光状態は、互いに９０度の角度差を有してよい。仮に、第１偏光状態が０度を意味すると、第２偏光状態は９０度を意味し、第１偏光状態が−４５度を意味すると、第２偏光状態は＋４５度を意味する。
【００３９】
シフト動作は、位相変換パネル１１０のタイプまたは構成に応じて異なる方式で行われてよい。
【００４０】
一例として、位相変換パネル１１０は、ＬＣＤパネルで構成されてよい。この場合、各液晶は、一方向に配列されてから、電界が印加されると、その電界の大きさおよび方向に応じて、以前の配列方向と垂直の方向に光が偏光されるように再配列される。それにより、光の偏光方向が９０度の角度に変更されるシフト動作が行われる。
【００４１】
別の例として、位相変換パネル１１０は、互いに９０度の偏光方向を有しつつ、並んで配置される第１偏光器（ｐｏｌａｒｉｚｅｒ）および第２偏光器を含む形態で構成されてよい。この場合、第１偏光器および第２偏光器を交互にターンオン／ターンオフさせ、偏光方向を９０度の角度に変更するシフト動作を行うことができる。または、位相変換パネル１１０は、上述の構成に制限されず、線形偏光器や複屈折偏光器、薄膜フィルム偏光器、円形偏光器等を含んでよい。
【００４２】
一方、バックライトユニット１３０は、位相変換パネル１１０がシフト動作を完了するまでのクロストーク区間の間にはターンオフされ、クロストーク区間の以後の安定化区間の間にはターンオンされる。
【００４３】
このようなバックライトユニット１３０の駆動は、３Ｄディスプレイパネル１００の外部の制御部２００によって制御されてよい。
【００４４】
制御部２００は、バックライトユニと１３０の制御信号をバックライト１３０そのものまたはバックライトユニット１３０の駆動する駆動回路（図示せず）に伝達し、バックライトユニット１３０がクロストーク区間の間、ターンオフされるように制御する。それにより、左眼映像および右眼映像が互いに重なる区間の間には、バックライトが提供されないため、画面が歪む現象を防止することができるようになる。
【００４５】
一方、図１では、制御部２００が３Ｄディスプレイパネル１００の外部に設けられたものとして示したが、制御部２００は３Ｄディスプレイパネル１００の内部に併せて設けられてよい。なお、バックライトユニット１３０を除き、位相変換パネル１１０および映像表示パネル１２０のみで、３Ｄディスプレイパネル１００を構成することもできる。本発明の一実施形態により、制御部２００が３Ｄディスプレイ装置の外部に設けられる場合、３Ｄディスプレイパネルはディスプレイ装置の内部に設けられてよい。
【００４６】
図２は、本発明の一実施形態に係る３Ｄディスプレイ装置の駆動を説明するための図である。
【００４７】
図２の（ａ）は、１８０Ｈｚの動作周波数に応じてデータイネーブル（Ｄａｔａ  Ｅｎａｂｌｅ：ＤＥ）区間が形成されるものを示す。
【００４８】
図２の（ｂ）は、各データイネーブル区間毎の映像表示パネル１２０の動作を示す。図２の（ｂ）によると、映像表示パネル１２０は、一つのデータイネーブル区間で一つの映像フレームを出力する。映像フレームは、ライン単位で順次に走査される。よって、一つの映像フレームの最後のラインに対する走査が開始されてからの以後の次のデータイネーブル区間では、再び１番目のラインから次の映像フレームが出力される。この場合、左眼映像（Ｌ）が予め設定された数のフレーム分だけ出力されてからは、その次のデータイネーブル区間では右眼映像（Ｒ）を出力する。このようなタイプのスイッチングは、位相変換パネル１１０の動作周波数と、映像表示パネル１２０の動作周波の間の差により、一つのデータイネーブル区間内に行われてよい。すなわち、図２の（ｂ）によると、２番目のデータイネーブル区間の中間に右眼映像（Ｒ）の出力が開始されるようになる。その後に、５番目のデータイネーブル区間の中間に再び左眼映像（Ｌ）の出力が開始される。
【００４９】
位相変換パネル１１０は、左眼映像および右眼映像の出力時点に合わせて、光の偏光方向を変えるシフト動作を行う。具体的な例を挙げると、位相変換パネル１１０は右眼映像の出力が開始されると、それに合わせて＋９０偏光を作り、ユーザが着用したメガネのグラスのうち、＋９０偏光のみを通過させる右側グラスを通じてのみ光が伝達されるようにする。この場合、左側グラスでは、光が伝達されない。一方、左眼映像の出力が開始されると、それに合わせて０度偏光を作り、０度偏光のみを通過させる左側グラスを通じてのみ、光が伝達されるようにし、右側グラスを通過する光は遮断させる。
【００５０】
図２の（ｄ）は、位相変換パネル１１０に供給される制御信号の形態を示し、図２の（ｃ）は、その制御信号による位相変換パネル１１０のシフト状態を示す。図２の（ｃ）によると、位相変換パネル１１０はシフトが開始された時点から、ある程度以上のシフトが行われる時点までは左眼映像の光と右眼映像の光とがすべて出力され得るクロストーク区間を有するようになる。クロストーク区間以後には、左眼映像の光と右眼映像の光の何れか一方が遮断される安定化区間を有するようになる。
【００５１】
図２の（ｅ）によると、バックライトユニット１３０は、クロストーク区間の間にはターンオフされ、安定化区間の間にはターンオンされる。よって、クロストーク区間の間に、左眼映像および右眼映像が重なるようになる現象は防止され、安定化区間の間には現在の映像表示パネル１２０に表示されている映像の光がそのまま視聴者側に投射されるようになる。バックライトユニット１３０は、安定化区間が過ぎて、再び位相変換パネル１１０のシフト動作が開始されると、再びターンオンされる。
【００５２】
図２に示すように、映像表示パネル１２０は１８０Ｈｚの動作周波数に合わせて左眼映像および右眼映像を出力するようになるが、位相変換パネル１１０はそれより相対的に低い動作周波数に合わせてシフト動作を行うようになる。具体的には、位相変換パネル１１０の動作周波数は１２０Ｈｚであり、前記映像表示パネルの動作周波数は１８０Ｈｚ、２４０Ｈｚ、３６０Ｈｚおよび４８０Ｈｚ等であってよい。
【００５３】
このように、位相変換パネル１１０の動作周波数を映像表示パネル１２０の動作周波数より相対的に低く設定するようになると、安定化区間を一定の長さ以上確保することができる。
【００５４】
一方、上述のように、位相変換パネル１１０の動作周波数は、映像表示パネル１２０の動作周波数より小さく設定するようになるが、映像表示パネル１２０の映像表示時点と同じ時点からシフトを開始することができる。すなわち、映像表示パネル１２０の垂直同期時点に合わせてシフトを最初に開始することができる。この場合、動作周波数が異なって垂直同期を毎回とることはできないが、一定時間が経過すると、再び垂直同期がとれるようになる。一例として、位相変換パネル１１０の動作周波数が１２０Ｈｚであり、映像表示パネル１２０の動作周波数が１８０Ｈｚであれば、映像表示パネル１２０から４番目のフレームが出力される時点で、位相変換パネル１１０は３番目のシフト動作を行うようになる。
【００５５】
一方、安定化区間をもう少し長く確保するためには、位相変換パネル１１０をオーバードライブさせることもできる。すなわち、位相変換パネル１１０がＬＣＤで実現された場合、液晶は電圧に応じて駆動されるため、電圧が高いほど、応答速度が速まる。よって、シフト動作を開始した時点から予め設定された時間の間、一般的な状態より高い電圧、すなわち、オーバードライブ電圧を位相変換パネル１１０に印加するようになると、クロストーク区間が相対的に短くなり、安定化区間が長くなる。
【００５６】
オーバードライブ電圧は、任意に設定されてよい。一例として、位相変換パネル１１０がフルホワイト（ｆｕｌｌ  ｗｈｉｔｅ）状態になったときの電圧をオーバードライブ電圧で活用して印加した後、一定時間が経過すると、正常な大きさの維持電圧を印加するようにすることができる。すなわち、２５５階調の特性を有する位相変換パネル１１０であれば、２５５階調を表現するための電圧をオーバードライブ電圧で供給し、その後は、２４０階調に該当する電圧を維持電圧で供給することができる。
【００５７】
図３は、位相変換パネル１１０をオーバードライブするための制御信号およびそれによる位相変換パネル１１０のシフト動作を説明する図である。
【００５８】
図３の（ａ）によると、制御信号は＋オーバードライブ電圧の大きさだけライジングされた後、一定時間が経過すると、維持電圧レベルに降下される。その後、次のシフト区間時には、基準電圧であるＶｃｏｍレベルでより多くポーリングされ、再び一定時間が経過すると少し増大させる。次の周期には、基準電圧を基準としてリバース形態の制御信号を供給し、シフト動作を行う。
【００５９】
図３において、基準電圧Ｖｃｏｍを基準として高い値を有する区間および低い値を有する区間では、位相変換パネル１１０の液晶が移動されて、ブラック状態になる。すなわち、第１偏光状態になる。一方、基準電圧Ｖｃｏｍレベルに合わせられる区間では、位相変換パネル１１０の液晶が元の状態に復帰してホワイト状態になる。すなわち、第１偏光状態に垂直に偏光される第２偏光状態になる。このように、基準電圧を基準として、＋、−値を有する制御信号を利用するようになると、液晶に反対の極性の電圧を交互に印加するようになるため、液晶の劣化速度も最小限化させることができる。
【００６０】
図３（ａ）に示すように、オーバードライブ電圧を利用すると、図３の（ｂ）に示すように、位相変換パネル１１０がもっと早く安定化区間に移行するようになる。
【００６１】
図４は、オーバードライブを実施した際の３Ｄディスプレイ装置の動作を説明するための図である。図４で（ａ）、（ｂ）は、図２と同様であるため、具体的な説明は省略する。
【００６２】
図４（ｃ）によると、オーバードライブによってクロストーク区間が相対的に短くなり、安定化区間が相対的に長くなった状態であることが分かる。
【００６３】
それにより、図４の（ｅ）に示すように、バックライトユニット１３０のターンオン時間が図２に比べて長くなる。
【００６４】
一方、以上のような様々な例において、位相変換パネル１１０は複数のセグメントに区分されてシフト動作を行うのではなく、一つのフレーム単位でシフト動作を行う。一つの位相変換パネル１１０を複数のセグメントに区分し、映像表示パネル１２０の映像表示程度に応じてセグメントのシフト動作を異なるように開始するようになると、セグメント間の境界面が帯（ｌｉｎｅ）状に見えるようになってよい。
【００６５】
それにより、本発明の様々な実施形態では、位相変換パネル１１０は一つのフレーム単位で一つのシフトを行うようになる。
【００６６】
図５は、フレーム単位で位相変換パネルがシフト動作を行う方式を説明するための図である。
【００６７】
図５の（ａ）によると、一つの位相変換パネル１１０を３つのセグメントに区分してシフトさせる過程を示す。それによると、位相変換パネル１１０の１番目のセグメント部分をシフトさせた後、一定時間が経過すると、２番目のセグメント、３番目のセグメント等を順次にシフトさせる。
【００６８】
一方、図５（ｂ）によると、一つの位相変換パネル１１０は一つのフレームが出力される間にシフトさせる。それにより、セグメント間の境界面が帯状に見えるようになる現象を防止することができるようになる。
【００６９】
図６は、本発明の一実施形態に係る３Ｄディスプレイ装置の細部構成の一例を示すブロック図である。図６に示すように、３Ｄディスプレイ装置は、位相変換パネル１１０と、映像表示パネル１２０と、バックライトユニット１３０と、位相変換パネル駆動部３１０と、パネル駆動部３２０と、バックライト駆動部３３０および制御部２００を含む。
【００７０】
位相変換パネル１１０と、映像表示パネル１２０と、バックライトユニット１３０に対する説明は、図１と同様であるため、具体的な説明は省略する。
【００７１】
位相変換パネル駆動部３１０は、位相変換パネル１１０のシフト動作を制御する構成である。位相変換パネル駆動部３１０は、位相変換パネル１１０を制御するための制御信号を出力する。制御信号は、制御パルスの形態で位相変換パネル１１０に印加されてよい。この場合、位相変換パネル１１０は、図３および図４に示すように、制御信号を生成して供給することにより、位相変換パネル１１０をオーバードライブさせることができる。
【００７２】
パネル駆動部３２０は、映像表示パネル１２０の動作を制御する構成である。具体的に、パネル駆動部３２０は、イメージプロセッサ（図示せず）において処理されたイメージを映像表示パネル１２０内の各液晶を通じて表示するために、アドレス電圧やデータ電圧等のような各種制御信号を供給する。
【００７３】
バックライト駆動部３３０は、バックライトユニット１３０を駆動させるための構成である。バックライト駆動部３３０は、バックライトユニット１３０が位相変換パネル１１０のクロストーク区間の間にはターンオフされ、位相変換パネル１１０が安定化区間にある間にはターンオンされるように制御する。
【００７４】
図６において、位相変換パネル３１０と、パネル駆動部３２０と、バックライト駆動部３３０等の動作は、制御部２００によって制御されてよい。
【００７５】
図７は、本発明の多様な実施形態に係る３Ｄディスプレイ装置の駆動方法を説明するためのフローチャートである。
【００７６】
図７によると、３Ｄディスプレイ装置は、映像表示パネルの駆動に応じて位相変換パネルの偏光方向を変更するシフト動作を行う（Ｓ７１０）。この場合、実施形態によっては、シフト動作が開始された時点から一定時間の間には、位相変換パネルをオーバードライブさせてクロストーク区間が短くなるようにすることができる。なお、位相変換パネルは、一つのフレーム単位でシフト動作を行うように実現することができる。
【００７７】
それにより、シフト動作が開始されてクロストーク区間になると（Ｓ７２０：Ｙ）、バックライトユニットをターンオフさせる（Ｓ７３０）。
【００７８】
その後に、クロストーク区間が経過して安定化区間になると（Ｓ７２０：Ｎ）、バックライトユニットをターンオンさせる（Ｓ７４０）。
【００７９】
それから、再びシフト動作を行うべき条件が到来すると（Ｓ７５０：Ｙ）、上述のステップを繰り返し行う。一方、映像出力が終了してシフト動作を行う必要がなくなると、動作を停止する（Ｓ７５０：Ｎ）。
【００８０】
以上のように、位相変換パネルおよびバックライトユニットを映像表示パネルの映像表示状態および位相変換パネルのシフト状態等を考慮して適切に制御し、偏光方式の３Ｄディスプレイ装置でも左眼映像および右眼映像が互いに重なって見える現象を防止することができるようになる。
【００８１】
または、フレーム単位でシフト動作を行って画面に帯のようなノイズが表示されることを防止することもできる。
【００８２】
一方、以上のような駆動方法を行うためのプログラムコードは、多様な記録媒体に保存されてよい。具体的には、上述の方法を行うためのコードは、ＲＡＭ（Ｒａｎｄｏｍ  Ａｃｃｅｓｓ  Ｍｅｍｏｒｙ）、フラッシュメモリ、ＲＯＭ（Ｒｅａｄ  Ｏｎｌｙ  Ｍｅｍｏｒｙ）、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）、レジスタ、ハードディスク、リムーバブルディスク、メモリカード、ＵＳＢメモリ、ＣＤ−ＲＯＭなどのように、端末機で読取可能な多様な記録媒体に保存されていてよい。
【００８３】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【符号の説明】
【００８４】
２００  制御部
３１０  位相変換パネル駆動部
３２０  パネル駆動部
３３０  バックライト駆動部
【図１】
0005932807.tif 000002
【図２】
0005932807.tif 000003
【図３】
0005932807.tif 000004
【図４】
0005932807.tif 000005
【図５（ａ）】
0005932807.tif 000006
【図５（ｂ）】
0005932807.tif 000007
【図６】
0005932807.tif 000008
【図７】
0005932807.tif 000009